(57)【特許請求の範囲】
【請求項１】
所定のジャンルに属する番組が放送されているチャンネルを選局する選局制御装置であって、
複数のジャンルから所定のジャンルを選択するジャンル選択手段と、
前記ジャンル選択手段によって選択された前記ジャンルの所定のものに属する番組が放送されているチャンネルを検索する検索手段と、
前記検索手段によって検索された前記ジャンルの所定のものに対応する１または複数のチャンネルを示すデータを各ジャンル毎に記憶するチャンネル記憶手段と、
前記チャンネル記憶手段によって記憶された各チャンネルのうち、前記ジャンル選択手段によって選択された前記ジャンルの所定のものに対応する各チャンネルの所定のものを選局する選局手段とを備え、
前記チャンネル記憶手段は、前記ジャンル毎に番組内容に応じて予めユーザが設定した優先順位に対応させて前記チャンネルを記憶し、
前記チャンネルの番号と対応付けられたチャンネル選択キーは、前記ジャンル選択手段により前記ジャンルが選択された場合に、前記チャンネルの前記番号が小さくなる程高い前記優先順位と対応付けられる
ことを特徴とする選局制御装置。
【請求項２】
前記ジャンルの所定のものに属する番組が放送されている各チャンネルの所定のものの選局を指示する選局指示手段をさらに備え、
前記選局手段は、前記選局指示手段によって指示された前記チャンネルの所定のものを選局する
ことを特徴とする請求項１に記載の選局制御装置。
【請求項３】
前記チャンネル記憶手段は、複数のチューナに対応して各チューナ毎に、各ジャンルに属する番組が放送されているチャンネルを示すデータを記憶する
ことを特徴とする請求項１または２に記載の選局制御装置。
【請求項４】
前記ジャンル選択手段は、複数のジャンルに対応した選択キーにより構成され、
前記選択キーの所定のものが操作されたとき、前記検索手段によって、操作された前記選択キーの所定のものに対応するジャンルに属する番組が放送されているチャンネルが検索され、前記チャンネル記憶手段は、前記検索手段によって検索された前記ジャンルの所定のものに対応する１または複数のチャンネルを示すデータを各ジャンル毎に記憶する
ことを特徴とする請求項１乃至３のいずれかに記載の選局制御装置。
【請求項５】
前記選局指示手段は、前記ジャンル選択手段によって選択された前記ジャンルの所定のものに属する番組が放送されている各チャンネルに対応する選局キーを有し、
各選局キーの番号とともに、各選局キーに対応するチャンネルの番号もしくは放送ロゴマーク、および、各選局キーに対応するチャンネルにおいて現在放送されている番組に関する情報の少なくともいずれかを表示するための表示信号を生成する表示信号生成手段と、
前記表示信号生成手段によって生成された前記表示信号を出力する表示信号出力手段と
をさらに備えることを特徴とする請求項２乃至４のいずれかに記載の選局制御装置。
【請求項６】
所定のジャンルに属する番組が放送されているチャンネルを選局する選局制御方法であって、
複数のジャンルから所定のジャンルを選択するジャンル選択ステップと、
前記ジャンル選択ステップにおいて選択された前記ジャンルの所定のものに属する番組が放送されているチャンネルを検索する検索ステップと、
前記検索ステップにおいて検索された前記ジャンルの所定のものに対応する１または複数のチャンネルを示すデータを各ジャンル毎に記憶するチャンネル記憶ステップと、
前記チャンネル記憶ステップにおいて記憶された各チャンネルのうち、前記ジャンル選択手段によって選択された前記ジャンルの所定のものに対応する各チャンネルの所定のものを選局する選局ステップとを備え、
前記チャンネル記憶ステップは、前記ジャンル毎に番組内容に応じて予めユーザが設定した優先順位に対応させて前記チャンネルを記憶し、
前記チャンネルの番号と対応付けられたチャンネル選択キーは、前記ジャンル選択ステップにより前記ジャンルが選択された場合に、前記チャンネルの前記番号が小さくなる程高い前記優先順位と対応付けられる
ことを特徴とする選局制御方法。
【請求項７】
所定のジャンルに属する番組が放送されているチャンネルを選局する選局制御装置を制御する選局制御プログラムであって、
複数のジャンルから所定のジャンルを選択するジャンル選択ステップと、
前記ジャンル選択ステップにおいて選択された前記ジャンルの所定のものに属する番組が放送されているチャンネルを検索する検索ステップと、
前記検索ステップにおいて検索された前記ジャンルの所定のものに対応する１または複数のチャンネルを示すデータを各ジャンル毎に記憶するチャンネル記憶ステップと、
前記チャンネル記憶ステップにおいて記憶された各チャンネルのうち、前記ジャンル選択手段によって選択された前記ジャンルの所定のものに対応する各チャンネルの所定のものを選局する選局ステップとを備え、
前記チャンネル記憶ステップは、前記ジャンル毎に番組内容に応じて予めユーザが設定した優先順位に対応させて前記チャンネルを記憶し、
前記チャンネルの番号と対応付けられたチャンネル選択キーは、前記ジャンル選択ステップにより前記ジャンルが選択された場合に、前記チャンネルの前記番号が小さくなる程高い前記優先順位と対応付けられることを前記選局制御装置に実行させる
ことを特徴とする選局制御プログラム。
【発明の詳細な説明】
【技術分野】
【０００１】
本発明は選局制御装置に関し、特に、所望のジャンルに属する番組が放送されているチャンネルを簡単に選局することができる選局制御装置に関するものである。
【背景技術】
【０００２】
従来、好みのチャンネルを登録する場合、リモートコントローラ等の特定のボタンに好みのチャンネルを登録し、地上アナログ、ＢＳデジタル等の切り換えを行うことなく、そのボタンを押すことにより、ダイレクトにそのボタンに登録されたチャンネルが選局されるものがあった。
しかしながら、好みのチャンネルの設定登録が煩雑であった。そこで、視聴者がある番組を視聴している場合において、同時間帯に放送中の他の番組に切り換えて視聴するとき、選局する毎に記憶ボタンのみを押下するだけで、好みの番組として簡単に記憶（設定登録）することができ、適宜、設定登録した番組を削除することができ、その後、呼出ボタンを順次押下するだけで、記憶した番組に対応するチャンネルを即座に選局することができ、従来煩雑であった選局操作、および、登録設定に伴う設定操作を簡易化することができるようにしたものがある（例えば、特許文献１参照）。
【特許文献１】特開平１０−１４５７００号公報
【発明の開示】
【発明が解決しようとする課題】
【０００３】
しかしながら、特許文献１の発明では、好みのチャンネル毎に登録を行い、登録したチャンネルの選局を簡単かつ迅速に行うことができるが、登録されたチャンネルにおいて常に好みの番組が放送されているとは限らない。例えば、地上アナログ放送では、同一チャンネルにおいて様々なジャンルの番組が任意の順番で放送される。仮に、好みの番組が放送されたことを契機としてその番組を放送しているチャンネルを登録したとしても、その番組が終了した後は、その番組とは別ジャンルの番組を放送していることが多く、登録したチャンネルにおいてユーザの好みの番組が常に放送されるということはない。
そのため、登録したチャンネルで好みの番組が放送されなくなったとき、登録の削除、および、他の好みの番組が放送されているチャンネルの再登録といった操作が繰り返し必要になる。
本発明はこのような状況に鑑みてなされたものであり、好みのジャンルの番組が放送されているチャンネルを自動検索して登録することにより、常に好みのジャンルの番組が放送されているチャンネルを簡単かつ迅速に選局し表示することができるようにするものである。
【課題を解決するための手段】
【０００４】
請求項１に記載の選局制御装置は、所定のジャンルに属する番組が放送されているチャンネルを選局する選局制御装置であって、複数のジャンルから所定のジャンルを選択するジャンル選択手段と、前記ジャンル選択手段によって選択された前記ジャンルの所定のものに属する番組が放送されているチャンネルを検索する検索手段と、前記検索手段によって検索された前記ジャンルの所定のものに対応する１または複数のチャンネルを示すデータを各ジャンル毎に記憶するチャンネル記憶手段と、前記チャンネル記憶手段によって記憶された各チャンネルのうち、前記ジャンル選択手段によって選択された前記ジャンルの所定のものに対応する各チャンネルの所定のものを選局する選局手段とを備え、前記チャンネル記憶手段は、前記ジャンル毎に番組内容に応じて予めユーザが設定した優先順位に対応させて前記チャンネルを記憶し、前記チャンネルの番号と対応付けられたチャンネル選択キーは、前記ジャンル選択手段により前記ジャンルが選択された場合に、前記チャンネルの前記番号が小さくなる程高い前記優先順位と対応付けられることを特徴とする。
また、ジャンルの所定のものに属する番組が放送されている各チャンネルの所定のものの選局を指示する選局指示手段をさらに備え、選局手段は、選局指示手段によって指示されたチャンネルの所定のものを選局するようにすることができる。
また、チャンネル記憶手段は、複数のチューナに対応して各チューナ毎に、各ジャンルに属する番組が放送されているチャンネルを示すデータを記憶するようにすることができる。
また、ジャンル選択手段は、複数のジャンルに対応した選択キーにより構成され、選択キーの所定のものが操作されたとき、検索手段によって、操作された選択キーの所定のものに対応するジャンルに属する番組が放送されているチャンネルが検索され、チャンネル記憶手段は、検索手段によって検索されたジャンルの所定のものに対応する１または複数のチャンネルを示すデータを各ジャンル毎に記憶するようにすることができる。
また、選局指示手段は、ジャンル選択手段によって選択されたジャンルの所定のものに属する番組が放送されている各チャンネルに対応する選局キーを有し、各選局キーの番号とともに、各選局キーに対応するチャンネルの番号もしくは放送ロゴマーク、および、各選局キーに対応するチャンネルにおいて現在放送されている番組に関する情報の少なくともいずれかを表示するための表示信号を生成する表示信号生成手段と、表示信号生成手段によって生成された表示信号を出力する表示信号出力手段とをさらに備えるようにすることができる。
請求項６に記載の選局制御方法は、所定のジャンルに属する番組が放送されているチャンネルを選局する選局制御方法であって、複数のジャンルから所定のジャンルを選択するジャンル選択ステップと、前記ジャンル選択ステップにおいて選択された前記ジャンルの所定のものに属する番組が放送されているチャンネルを検索する検索ステップと、前記検索ステップにおいて検索された前記ジャンルの所定のものに対応する１または複数のチャンネルを示すデータを各ジャンル毎に記憶するチャンネル記憶ステップと、前記チャンネル記憶ステップにおいて記憶された各チャンネルのうち、前記ジャンル選択手段によって選択された前記ジャンルの所定のものに対応する各チャンネルの所定のものを選局する選局ステップとを備え、前記チャンネル記憶ステップは、前記ジャンル毎に番組内容に応じて予めユーザが設定した優先順位に対応させて前記チャンネルを記憶し、前記チャンネルの番号と対応付けられたチャンネル選択キーは、前記ジャンル選択ステップにより前記ジャンルが選択された場合に、前記チャンネルの前記番号が小さくなる程高い前記優先順位と対応付けられることを特徴とする。
請求項７に記載の選局制御プログラムは、所定のジャンルに属する番組が放送されているチャンネルを選局する選局制御装置を制御する選局制御プログラムであって、複数のジャンルから所定のジャンルを選択するジャンル選択ステップと、前記ジャンル選択ステップにおいて選択された前記ジャンルの所定のものに属する番組が放送されているチャンネルを検索する検索ステップと、前記検索ステップにおいて検索された前記ジャンルの所定のものに対応する１または複数のチャンネルを示すデータを各ジャンル毎に記憶するチャンネル記憶ステップと、前記チャンネル記憶ステップにおいて記憶された各チャンネルのうち、前記ジャンル選択手段によって選択された前記ジャンルの所定のものに対応する各チャンネルの所定のものを選局する選局ステップとを備え、前記チャンネル記憶ステップは、前記ジャンル毎に番組内容に応じて予めユーザが設定した優先順位に対応させて前記チャンネルを記憶し、前記チャンネルの番号と対応付けられたチャンネル選択キーは、前記ジャンル選択ステップにより前記ジャンルが選択された場合に、前記チャンネルの前記番号が小さくなる程高い前記優先順位と対応付けられることを前記選局制御装置に実行させることを特徴とする。
【発明の効果】
【０００５】
本発明の選局制御装置によれば、好みのジャンルの番組が放送されているチャンネルを自動検索して登録するようにしたので、常に好みのジャンルの番組が放送されているチャンネルを簡単かつ迅速に選局し表示することができる。
【発明を実施するための最良の形態】
【０００６】
図１は、本発明を応用したテレビジョン受像機の一実施の形態の構成例を示すブロック図、およびテレビジョン受像機を操作するリモートコントローラ（リモコン）の外観図である。同図に示すように、本実施の形態は、アンテナ１０１によって受信された電波に対応する受信信号から、後述するマイクロコンピュータ（以下、マイコンと記載する）１０５の制御により所定のチャンネルを選局し、選局したチャンネルの映像音声信号を出力するチューナ１０２と、チューナ１０２から出力された映像音声信号に対してデコード処理を行い、デコード処理が施された映像音声信号を映像処理部１０４および音声処理部１０９に供給するとともに、映像音声信号から抽出した番組情報（例えば、電子番組表など）をマイコン１０５に供給するデコーダ１０３と、デコーダ１０３より供給された映像音声信号を構成する映像信号に対して所定の文字や図形等の映像データを合成し、合成映像信号をＬＣＤ（Liquid Crystal Display）等からなる表示部１０８に供給する映像処理部１０４と、デコーダ１０３より供給された映像音声信号のうちの音声信号に対して所定の音声処理を施した後、スピーカ１１０に供給する音声処理部１０９と、音声処理部１０９より供給された音声信号を出力するスピーカ１１０と、各部を制御するマイコン１０５と、マイコン１０５によって番組情報から検索された番組に対応するチャンネルをジャンル毎に記憶するチャンネルメモリ１０６と、リモコン２００に設けられたチャンネルキー（選局数字キー）２０１、選局アップダウンキー２０２、ジャンルキー２０３、音量調節キー２０４等の各キーが操作されたとき、図示しない制御部の制御により、図示しない発光部から赤外線等により送信される操作されたキーのキーコードを表すキーコードデータを受信し、受信したキーコードデータをマイコン１０５に供給するリモコン受光部１０７等から構成されている。
【０００７】
リモコン２００は、上述したように、所望のチャンネルの選局を指示するときに操作されるチャンネルキー２０１と、チャンネルをチャンネルの数字が大きくなる方、または小さくなる方に１ずつ順番に切り換えて選局するためのプラスボタンとマイナスボタンとからなる選局アップダウンキー２０２と、音量調節（音量の上げ下げ）を指示するときに操作される音量調節キー２０４と、番組のジャンルを指定するときに操作されるジャンルキー２０３等により構成されている。チャンネルキー２０１は、チャンネル「１」乃至「１２」の各番号に対応するキーからなり、ジャンルキー２０３は、ジャンル「１」乃至「３」に対応するキー２０３ａ乃至２０３ｃより構成されている。
【０００８】
次に、図２のフローチャートを参照して、本実施の形態において、ユーザが指定した所定のジャンルの番組が放送されるチャンネルを登録する手順について説明する。まず、ステップＳ１において、ユーザは、リモコン２００のジャンルキー２０３を構成するキー２０３ａ、２０３ｂ、２０３ｃのうちのいずれかを押下して、所望のジャンルを指定する。いま、キー２０３ａが押下されたものとする。
【０００９】
リモコン２００の図示しない制御部は、ユーザによって押下されたジャンルキー２０３（いまの場合、キー２０３ａ）を表すキーコードデータに対応して図示しない発光部を発光させ、そのキーコードデータを赤外線により送信する。
【００１０】
テレビジョン受像機１００のリモコン受光部１０７は、リモコン２００から赤外線により送信されたキーコードデータを受信すると、このキーコードデータをマイコン１０５に供給する。マイコン１０５は、このキーコードデータに基づいて、選択されたジャンルを認識する。
【００１１】
次に、ステップＳ２において、マイコン１０５は、デコーダ１０３より供給される映像音声信号から抽出された番組情報に基づいて、現在放送されている各チャンネルの番組の番組タイトル、番組内容等を取得し、その番組のジャンルを解析し、決定する。
【００１２】
次に、ステップＳ３において、ステップＳ２において決定された番組のジャンルと、ステップＳ１においてユーザによって操作されたジャンルキー２０３の所定のものに対応するジャンルとが一致するか否かが判定される。
【００１３】
その結果、ステップＳ２において決定された番組のジャンルと、ステップＳ１においてユーザによって押下されたジャンルキー２０３の所定のものに対応するジャンルとが一致しないと判定された場合、処理を終了する。一方、ステップＳ２において決定された番組のジャンルと、ステップＳ１においてユーザによって押下されたジャンルキー２０３の所定のもの（いまの場合、キー２０３ａ）に対応するジャンルとが一致すると判定された場合、ステップＳ４に進む。
【００１４】
ステップＳ４においては、ユーザによって押下されたジャンルキー２０３の所定のものに対して既にプリセットされているチャンネルがあるか否かが判定される。即ち、ステップＳ１においてユーザがジャンルキー２０３の所定のものを押下することによって指定した所望のジャンルに対応する番組が放送されているチャンネルが、そのジャンルキー２０３の所定のものに対応付けてチャンネルメモリ１０６に記憶されているか否かが判定される。
【００１５】
その結果、ユーザによって押下されたジャンルキー２０３の所定のものに対して既にプリセットされているチャンネルがないと判定された場合、ステップＳ７に進む。一方、ユーザによって押下されたジャンルキー２０３の所定のものに対して既にプリセットされているチャンネルがあると判定された場合、ステップＳ５に進む。
【００１６】
ステップＳ５においては、マイコン１０５により、いまプリセットしようとしているチャンネルの番組の優先順位と、既にプリセットされているチャンネルの番組の優先順位とが比較され、いまプリセットしようとしているチャンネルの番組の優先順位より、既にプリセットされているチャンネルの番組の優先順位の方が高いと判定された場合、ステップＳ６に進む。
【００１７】
一方、ステップＳ５において、いまプリセットしようとしているチャンネルの番組の優先順位の方が、既にプリセットされているチャンネルの番組の優先順位より高いと判定された場合、ステップＳ７に進む。
【００１８】
ステップＳ６においては、いまプリセットしようとしているチャンネルの番組の優先順位と、既にプリセットされている次のチャンネルの番組の優先順位とが比較され、いまプリセットしようとしているチャンネルの番組の優先順位の方が、既にプリセットされている次のチャンネルの番組の優先順位より低いと判定された場合、ステップＳ６の処理が繰り返し実行される。
【００１９】
一方、いまプリセットしようとしているチャンネルの番組の優先順位の方が、既にプリセットされている次のチャンネルの番組の優先順位より高いと判定された場合、ステップＳ７に進む。
【００２０】
ステップＳ７においては、いまプリセットしようとしているチャンネルの番組が、ステップＳ１において設定されたジャンルに対応するジャンルキー２０３の所定のものにプリセットされる。
【００２１】
即ち、マイコン１０５の制御により、いまプリセットしようとしているチャンネルが、チャンネルメモリ１０６のそのチャンネルで放送されている番組のジャンルに対応付けて記憶される。チャンネルメモリ１０６には、各ジャンル毎に、そのジャンルに属する番組が放送されているチャンネルが優先順位の高い方から順に記憶されている。従って、いまプリセットしようとしているチャンネルが、そのチャンネルで放送される番組の優先順位に対応して所定の位置に登録される。
【００２２】
例えば、ジャンルキー２０３のキー２０３ａがジャンル「スポーツ」に対応しており、ジャンル「スポーツ」に対して、番組「サッカー中継」が放送されているチャンネル「８」と、番組「バレーボールの試合」が放送されているチャンネル「１０」が既に登録されており、いまプリセットしようとしているチャンネルの番組が「野球中継」であるとする。
【００２３】
その場合において、予め、ジャンル「スポーツ」に対して、例えば、「サッカー」、「野球」、「その他のスポーツ」の順に優先順位が設定されているとき（「サッカー」が最も優先順位が高い）、いまプリセットしようとしているチャンネルの番組（「野球中継」）は、サッカーの次に優先順位が高く、バレーボール（その他のスポーツ）より優先順位が高いため、「サッカー」の次にプリセットされる。
【００２４】
その結果、チャンネルメモリ１０６には、ジャンル＃１（スポーツ）に対応付けて、「サッカー中継」が放送されているチャンネル「８」、「野球中継」が放送されている例えばチャンネル「６」、「バレーボールの試合」が放送されているチャンネル「１０」がこの順で記憶される。
【００２５】
次に、図３のフローチャートを参照して、所望のジャンルの番組が放送されているチャンネルを選局する手順について説明する。まず、ステップＳ１１において、テレビジョン受像機１００のマイコン１０５により、リモコン２００のジャンルキー２０３を構成する各キー２０３ａ乃至２０３ｃのうちのいずれかがユーザによって押下され、ジャンルが指定されたか否かが判定される。この判定は、リモコン受光部１０７によって受信されたリモコン２００からのキーコードに基づいて行われる。
【００２６】
その結果、ジャンルキー２０３を構成する各キー２０３ａ乃至２０３ｃのうちのいずれもユーザによって押下されていないと判定された場合、ステップＳ１１の処理が繰り返し実行される。一方、ジャンルキー２０３を構成する各キー２０３ａ乃至２０３ｃのうちのいずれかがユーザによって押下されたと判定された場合、ステップＳ１２に進む。
【００２７】
ステップＳ１２においては、マイコン１０５により、ステップＳ１１においてユーザによって指定されたジャンルに対して、そのジャンルに属する現在放送中の番組のチャンネルがプリセットされているか（登録されているか）否かが判定される。
【００２８】
その結果、そのジャンルに対して、チャンネルが登録されていないと判定された場合、ステップＳ１３に進み、そのジャンルに属する番組は現在放送されていないと判断され、所定のメッセージ、例えば、「指定されたジャンルに属する番組は現在放送されていません」等を表示するための表示データが生成され、映像処理部１０４に供給される。
【００２９】
映像処理部１０４は、マイコン１０５より供給された表示データをデコーダ１０３から供給される映像音声信号の映像信号に合成し、合成映像信号を表示部１０８に供給する。これにより、表示部１０８の画面には、映像上にメッセージが合成表示される。その後、処理を終了する。
【００３０】
一方、ステップＳ１２において、マイコン１０５により、ステップＳ１１においてユーザによって指定されたジャンルに対して、そのジャンルに属する現在放送中の番組のチャンネルがプリセットされていると判定された場合、ステップＳ１４に進み、マイコン１０５は、そのジャンルに対してプリセットされているチャンネルのうち、優先順位が最も高いチャンネル（プリセット番号の小さいもの）を選局するようチューナ１０２に指令する。
【００３１】
チューナ１０２は、マイコン１０５からの指令に基づいて、ユーザにより指定されたジャンルに対してプリセットされているチャンネルのうち、最も優先順位の高いものを選局し、選局したチャンネルの映像音声信号をデコーダ１０３に供給する。
【００３２】
デコーダ１０３は、チューナ１０２より供給された映像音声信号に対して所定のデコード処理を施した後、映像処理部１０４に供給する。映像処理部１０４は、デコーダ１０３より供給された映像音声信号に対して所定の処理を施した後、表示部１０８に供給する。これにより、表示部１０８には、ユーザが指定したジャンルに対してプリセットされているチャンネルのうち、最も優先順位の高いチャンネルの番組が表示される。
【００３３】
例えば、ジャンル「スポーツ」に関しては、上述したように、優先順位の高いものから順に、「サッカー」、「野球」、「その他のスポーツ」等と設定することができる。現在、サッカーの試合が放送されている場合、この例では、優先順位が最も高いサッカーの試合が放送されているチャンネルが選局され、その番組が表示されることになる。
【００３４】
次に、ステップＳ１５において、マイコン１０５により、リモコン受光部１０７から供給されるキーコードデータに基づいて、リモコン２００の選局数字キー２０１のいずれかのキーが押下されたか否かが判定される。その結果、選局数字キー２０１のいずれかのキーが押下されたと判定された場合、ステップＳ１６に進む。一方、選局数字キー２０１のいずれのキーも押下されていないと判定された場合、ステップＳ１７に進む。
【００３５】
ステップＳ１６においては、マイコン１０５により、ステップＳ１５において押下された選局数字キー２０１の所定のキーに対応するプリセット番号のチャンネルがチャンネルメモリ１０６から読み出される。このプリセット番号は、各ジャンルに対してプリセットされた各チャンネルの優先順位に対応し、例えば、ジャンル「スポーツ」に対してプリセットされているサッカーの試合が放送されているチャンネルの番号は、そのジャンルにおいてプリセット番号＃１に対応付けられる。そして、このプリセット番号が選局数字キーのキー「１」に対応付けられる。従って、この例では、ジャンル「スポーツ」に対応するジャンルキー２０３のキー２０３ａが押下された場合において、選局数字キー２０１のキー「１」が押下されると、最も優先順位が高い（プリセット番号が最も小さい）チャンネルが呼び出されることになる。
【００３６】
また、ステップＳ１７においては、マイコン１０５により、選局アップダウンキー２０２のプラスキーまたはマイナスキーが押下されたか否かが判定される。その結果、選局アップダウンキー２０２のプラスキーおよびマイナスキーのいずれも押下されていないと判定された場合、ステップＳ１５に戻り、ステップＳ１５以降の処理が繰り返し実行される。
【００３７】
一方、選局アップダウンキー２０２のプラスキーまたはマイナスキーのいずれかが押下されたと判定された場合、ステップＳ１８に進み、チャンネルメモリ１０６にプリセットされている各チャンネルの呼び出しが以下の手順で行われる。即ち、プラスキーが押下されたときには、より優先順位の高いもの（よりプリセット番号が小さいもの）が順に呼び出され、マイナスキーが押下された場合には、より優先順位の低いもの（よりプリセット番号が大きいもの）が順に呼び出される。
【００３８】
ステップＳ１６またはステップＳ１８の処理が終了するとステップＳ１９に進む。ステップＳ１９においては、マイコン１０５の制御により、ステップＳ１６において呼び出されたチャンネル、または、ステップＳ１８において呼び出されたチャンネルが選局される。
【００３９】
次に、ステップＳ２０において、ジャンルキー２０３によって指定されたジャンルに属する番組が放送されているチャンネルの選局操作の終了が指示されたか否かが判定される。例えば、再度、ステップＳ１１において押下されたジャンルキー２０３の所定のものが押下されたか否かが判定される。
【００４０】
その結果、ジャンルキー２０３によって指定されたジャンルに属する番組が放送されているチャンネルの選局操作の終了が指示されていないと判定された場合、ステップＳ１５に戻り、ステップＳ１５以降の処理が繰り返し実行される。一方、ジャンルキー２０３によって指定されたジャンルに属する番組が放送されているチャンネルの選局操作の終了が指示されたと判定された場合、本処理を終了する。
【００４１】
図４は、ユーザによるリモコン２００の操作により、ジャンル「スポーツ」に属する番組の一覧表表示が指示されたときの表示例を示している。この例では、チャンネルメモリ１０６に、ジャンル「スポーツ」に対応して、ＢＳデジタル１０１（サッカー中継）、地上デジタル３５（プロ野球中継）、ＢＳデジタル１０７（ウィンブルドン（全英オープンテニス選手権大会））、ＣＳデジタル１０１（プロボーリング）、地上デジタル５０１（ラグビー）の各チャンネルがプリセットされているものとしている。
【００４２】
この例では、上述したように、優先順位がサッカー、野球、その他の順に設定されているため、「サッカー中継」がプリセット番号＃１にプリセットされ、「プロ野球中継」がプリセット番号＃２にプリセットされ、その他のスポーツ番組がそれ以降にプリセットされている。
【００４３】
ここでは、チャンネルと番組名のみを表示するようにしたが、その他に、放送開始時刻、放送終了時刻、番組内容等を表示させるようにしてもよい。
【００４４】
以上説明したように、本実施の形態により、所望のジャンルを指定するだけで、指定されたジャンルに属する番組が放送されているチャンネルがテレビジョン受像機１００のマイコン１０５の制御によって番組情報から検索され、検索された番組が放送されているチャンネルがチャンネルメモリ１０６に各ジャンル毎に登録される。その際、各ジャンル毎に、そのジャンルに属する番組のカテゴリ毎に優先順位が設定されている場合には、優先順位の順にプリセット番号が対応付けられる。
【００４５】
従って、ユーザは、所望のジャンルを指定することにより、そのジャンルに属する番組が現在放送されている場合、その番組を簡単な操作で迅速かつ容易に表示させることができる。しかも、ユーザが予めジャンル毎に番組内容に応じて優先順位を設定しておくことができ、優先順位の高いものから順に選局されるようにすることができるので、選択したジャンルの番組が現在放送されている場合には、その番組が放送されているチャンネルが選局され、表示される。複数の番組が放送されている場合には、優先順位に従ってユーザが最も視聴したい番組から順に表示させることができる。
【００４６】
なお、上記実施の形態は、所定のジャンルの番組のみが放送される専門チャンネルを有するＣＳ放送や、様々なジャンルの番組が放送される地上アナログ（デジタル）放送、ＢＳアナログ（デジタル）放送等に適用可能である。
【００４７】
なお、上記実施の形態の構成および動作は例であって、本発明の趣旨を逸脱しない範囲で適宜変更することができることは言うまでもない。
【産業上の利用可能性】
【００４８】
本発明の活用例として、例えば、テレビジョン受像機のみならず、チューナを有するＶＴＲ（ビデオテープレコーダ）やＤＶＤ（Digital Versatile Disc）レコーダ等の記録装置にも本発明を適用することができる。
【図面の簡単な説明】
【００４９】
【図１】本発明を応用したテレビジョン受像機の一実施の形態の構成例を示すブロック図とリモートコントローラの外観図である。
【図２】テレビジョン受像機において、所定のジャンルの番組が放送されているチャンネルをプリセットする手順を説明するためのフローチャートである。
【図３】所定のジャンルの番組が放送されているチャンネルを選局する手順を説明するためのフローチャートである。
【図４】現在放送されている所定のジャンルの番組表の表示例を示す図である。
【符号の説明】
【００５０】
１００  テレビジョン受像機
１０１  アンテナ
１０２  チューナ
１０３  デコーダ
１０４  映像処理部
１０５  マイコン
１０６  チャンネルメモリ
１０７  リモコン受光部
１０８  表示部
１０９  音声処理部
１１０  スピーカ
２００  リモートコントローラ
２０１  チャンネルキー（選局数字キー）
２０２  選局アップダウンキー
２０３  ジャンルキー
２０３ａ乃至２０３ｃ  キー
２０４  音量調節キー
【図１】
0004611836.tif 000002
【図２】
0004611836.tif 000003
【図３】
0004611836.tif 000004
【図４】
0004611836.tif 000005